(57)【要約】【課題】  本発明は同じ長さのＬＥＤ照明灯はもちろんのこと、長さの異なるＬＥＤ照明灯を略直角な箇所を経由しても連接でき、同時に通電も実現でき、必要な照度と設置場所の自由度を高めるＬＥＤ照明灯のコネクタ構造を提供するものである。【解決手段】  通電により夫々発光する複数個のＬＥＤ素子を備えたＬＥＤ照明灯の電極ピンを延出した口金に嵌め込まれる一方の鍔部と、該一方の鍔部より内側の平坦部に前記電極ピンを挿入する一方のソケットと、前記一方の鍔部から略直角の曲がった反対側に形成した他方の鍔部と、該他方の鍔部より内側の平坦部に電極ピンを挿入する他方のソケットと、前記一方及び他方のソケットを電気的に導通構造にして構成したコネクタ本体とからなり、該コネクタ本体を利用して複数のＬＥＤ照明灯を略直角に電気的に接続できるようにしたことを特徴とするＬＥＤ照明灯のコネクタ構造。【選択図】図５
2010129326.tif 000002
【特許請求の範囲】
【請求項１】
通電により夫々発光する複数個のＬＥＤ素子を備えたＬＥＤ照明灯の電極ピンを延出した口金に嵌め込まれる一方の鍔部と、該一方の鍔部より内側の平坦部に前記電極ピンを挿入する一方のソケットと、前記一方の鍔部から略直角の曲がった反対側に形成した他方の鍔部と、該他方の鍔部より内側の平坦部に電極ピンを挿入する他方のソケットと、前記一方及び他方のソケットを電気的に導通構造にして構成したコネクタ本体とからなり、該コネクタ本体を利用して複数のＬＥＤ照明灯を略直角に電気的に接続できるようにしたことを特徴とするＬＥＤ照明灯のコネクタ構造。
【発明の詳細な説明】
【技術分野】
【０００１】
本発明は、長尺な蛍光灯型と同様なＬＥＤ照明灯を必要に応じて同じ長さのものを略直角に繋げたり長さの違うものを略直角に繋げたりする場合に便利なＬＥＤ照明灯のコネクタ構造に関するものである。
【背景技術】
【０００２】
従来、長尺なＬＥＤ照明灯は１本使う場合が多いいが、必要に応じて複数本を設置場所に応じて直角に並べて繋げる必要が生じることがある、その場合、複数本を略直角に繋げる部品がなかった。従って、複数本繋げずに別々にコネクタを配置してこれに取り付けているのが現状で不便であった。
【０００３】
図１は一般的なＬＥＤ照明灯の口金１付近を示したもので、ＬＥＤ照明灯２の口金１の端面には電極ピン３が表れていて、図示しないコネクタに電気的に導通させて照明を得るものであるが、必要に応じて複数本を略直角に繋げようとした場合、この構造であると繋ぐことができない。特に之を略直角につなげようとすることはできない。
【０００４】
図２に示すように図２の左側のＬＥＳ照明灯と図２の下側のＬＥＤ照明灯とを設置場所によって直角に繋げようとするとこういったコネクタは考えられていない。従って直角な箇所を亘ってＬＥＤ照明灯をつなげようと要求される場所では不可能である。従って設置場所に必要な照度の照明が得られないばかりか、設置場所も限定されているものである。
【０００５】
特許文献１は長尺なＬＥＤ照明灯を提案しているが、コネクタによって複数本のＬＥＤ照明灯を略直角に繋げる技術の開示は無く、必要に応じて繋げる要望を満たし得ないものである。複数の長さの異なるＬＥＤ照明灯を選んで而も設置場所も略直角な場所を経由して繋げることができたなら大変便利であり、照明の調節ができるばかりか、ＬＥＤ照明灯の設置場所の自由度が広がることになる。
【０００６】
【特許文献１】特開２００２−１４１５５５号公報
【発明の開示】
【発明が解決しようとする課題】
【０００７】
本発明が解決しようとする課題は、同じ長さのＬＥＤ照明灯はもちろんのこと、長さの異なるＬＥＤ照明灯を略直角な箇所を経由しても連接でき、同時に通電も実現でき、必要な照度と設置場所の自由度を高めるＬＥＤ照明灯のコネクタ構造を提供するものである。
【課題を解決するための手段】
【０００８】
本発明の課題を解決する手段は通電により夫々発光する複数個のＬＥＤ素子を備えたＬＥＤ照明灯の電極ピンを延出した口金に嵌め込まれる一方の鍔部と、該一方の鍔部より内側の平坦部に前記電極ピンを挿入する一方のソケットと、前記一方の鍔部から略直角の曲がった反対側に形成した他方の鍔部と、該他方の鍔部より内側の平坦部に電極ピンを挿入する他方のソケットと、前記一方及び他方のソケットを電気的に導通構造にして構成したコネクタ本体とからなり、該コネクタ本体を利用して複数のＬＥＤ照明灯を略直角に電気的に接続できるようにしたことを特徴とするＬＥＤ照明灯のコネクタ構造である。
【発明の効果】
【０００９】
本発明によれば長さの異なるＬＥＤ照明灯を必要に応じて複数本略直角に繋げることができ、したがって必要な照度を確保でき、また設置場所も自由に選択できる等大変便利である効果がある。
【発明を実施するための最良の形態】
【００１０】
本発明は、コネクタ本体のＬＥＤ照明灯を嵌合する鍔部を深くすることで二本のＬＥＤ照明灯の結合が強化されるもので、しかも、設置場所が略直角であっても複数のＬＥＤ照明灯を繋ぐことができ必要に応じる長さの異なるＬＥＤ照明灯でも繋げるので大変便利である。
【００１１】
以下に、本発明の実施例に係るＬＥＤ照明灯について図３、図４、図５、図６を参照して詳細に説明する。図３は図２の矢印方向から見た図面である。
【００１２】
１０はコネクタ本体で全体的には略直角形状の構造をなしている。コネクタ本体１０はＬＥＤ照明灯の外観に合致するように円柱状を中心付近で略直角に折り曲げた構成をなしている。前記コネクタ本体１０の両端は鍔状の一方の鍔部１１が形成してあって、その底部には一方のソケット１２が形成されている。この場合、一方の鍔部１１はＬＥＤ照明灯の口金箇所が嵌合される。従って嵌合が十分にできるように一方の鍔部１１の寸法を選定してある。
【００１３】
前記コネクタ本体１０の一方のソケット１２から略直角に曲がった先の反対側には他方のソケット１３が他方の鍔部１４に連なる底部に形成してある。この場合一方のソケット１２及び他方のソケット１３はそれぞれ２本用意されていて、一方のソケット１２と他方のソケット１３とはコネクタ本体１０内で電気的に導通している。
【００１４】
他方の鍔部１３も一方の鍔部１１と同様にＬＥＤ照明灯の口金に嵌合できるように寸法を調整している。従って、コネクタ本体１０の両端では鍔部１１、１４及びソケット１２、１３は同形状で構成されている。図４は図３の矢印方向から視た図である。
【００１５】
次に図６で、二本のＬＥＤ照明灯を前記コネクタ本体１０を介して略直角に繋げる場合について説明すると、一方のＬＥＤ照明灯１５の口金１６をコネクタ本体１０の一方の鍔部１１に強く嵌合する。この場合電極ピン１７と一方のソケット１２とは位置合わせを行い、電極ピン１７が一方のソケット１２に挿入できるように予め寸法調整をしておくものである。
【００１６】
次に他方のソケット１３に他方のＬＥＤ照明灯１８を略直角方向から嵌め合わせる場合、他方のＬＥＤ照明灯１８の電極ピン１９を他方のソケット１３に挿入し同時に他方の鍔部１４に他方のＬＥＤ照明灯１８の口金２０を嵌合すれば二本のＬＥＤ照明灯１５及び１８はコネクタ本体１０によって直角な設置場所でも直角に繋げることができ、従って設置場所の自由度も拡がるもので有る。
【００１７】
其の為に設置場所が直角故により明るさを希望しても限度があったが略直角なコネクタ本体１０の採用で照度の明るさを多く求めることができ又照度の調節が自由にできるもので大変便利である。勿論長さの違うＬＥＤ照明灯を繋げることもできるものである。
【産業上の利用可能性】
【００１８】
本発明のコネクタは長が同じものに限らず異なるＬＥＤ照明灯でも略直角名箇所に複数本繋げて設置できるもので産業上、歓迎されるものである。
【図面の簡単な説明】
【００１９】
【図１】ＬＥＤ照明灯の口金付近の構造図。
【図２】ＬＥＤ照明灯を直角に繋げる場合の説明の配置図。
【図３】本発明の実施例を説明するためのコネクタ本体の図である。
【図４】図３の矢印方向から視た図である。
【図５】図３のコネクタ本体の斜視図である。
【図６】図３のコネクタ本体にＬＥＤ照明灯を繋げる場合を説明する図である。
【符号の説明】
【００２０】
１    口金
２    ＬＥＤ照明灯
３    電極ピン
１０  コネクタ本体
１１  一方の鍔部
１２  一方のソケット
１３  他方のソケット
１４  他方の鍔部
１５  一方のＬＥＤ照明灯
１６、２０  口金
１７、１９  電極ピン
【図１】
2010129326.tif 000003
【図２】
2010129326.tif 000004
【図３】
2010129326.tif 000005
【図４】
2010129326.tif 000006
【図５】
2010129326.tif 000007
【図６】
2010129326.tif 000008